(57)【要約】【課題】  大気中の埃や塗装ガンからの塗料カスの被塗装物への付着を抑えることができ、塗装用治具自体の塗料による汚れを抑えることができる塗装用治具、これを備えた塗装ブース、およびこれを備えた塗装システムを提供する。【解決手段】  塗装用治具２０として、被塗装物（ランプカバー７０）を、その塗装側が下方に向かって傾斜するように吊り下げた状態で保持するものであり、噴霧された塗料が通過する開口部２４を有し、該開口部２４の周縁部２６で被塗装物を支持する被塗装物支持部材２２と、被塗装物支持部材２２を着脱可能に取り付ける吊下支持具３０とを具備するものを用いる。【選択図】        図３
2005152732.tif 000002
【特許請求の範囲】
【請求項１】
被塗装物を、その塗装側が下方に向かって傾斜するように吊り下げた状態で保持する塗装用治具であって、
噴霧された塗料が通過する開口部を有し、該開口部の周縁部で被塗装物を支持する被塗装物支持部材と、
被塗装物支持部材を着脱可能に取り付ける吊下支持具とを具備することを特徴とする塗装用治具。
【請求項２】
吊下支持具が、被塗装物の傾斜角度を調節する傾斜調節手段を具備することを特徴とする請求項１記載の塗装用治具。
【請求項３】
被塗装物の非塗装側を覆うカバーを具備することを特徴とする請求項１または請求項２記載の塗装用治具。
【請求項４】
請求項１ないし３いずれか一項に記載の塗装用治具と、
塗装用治具を軌道に沿って移動させる搬送手段と、
被塗装物に塗料を噴霧する塗装手段とを具備することを特徴とする塗装ブース。
【請求項５】
噴霧された塗料の塗装手段への付着を防ぐ遮蔽部材と、
遮蔽部材の表面に塗料捕集用の捕集液を流下させる捕集液供給手段とを具備することを特徴とする請求項４記載の塗装ブース。
【請求項６】
噴霧された塗料の塗装ブース内壁への付着を防ぐ遮蔽部材と、
遮蔽部材の表面に塗料捕集用の捕集液を流下させる捕集液供給手段とを具備することを特徴とする請求項４または請求項５記載の塗装ブース。
【請求項７】
流下した捕集液を貯留する水槽を具備することを特徴とする請求項５または請求項６記載の塗装ブース。
【請求項８】
塗装ブース内に外気を供給する給気手段と、
塗装ブース内を吸引して気流を発生させる吸引手段と、
該気流により水槽中の捕集液と塗装ブース内の塗料とを混合する渦巻室と、
吸引手段と渦巻室との間に設けられ、捕集液および塗料とが混合された混合物を回収する回収塔とを具備することを特徴とする請求項７記載の塗装ブース。
【請求項９】
渦巻室の入口が、下端が山切り状に形成された仕切板を備えて構成されていることを特徴とする請求項８記載の塗装ブース。
【請求項１０】
回収塔が、開口部が形成された平板状のエリミネータを回収塔の高さ方向に沿って少なくとも２枚備え、
隣接するエリミネータの開口部が、気流が蛇行しながら上昇するように互い違いに形成されていることを特徴とする請求項８または９に記載の塗装ブース。
【請求項１１】
各エリミネータが、傾斜して設けられ、隣接するエリミネータが、傾斜方向が互い違いに逆向きに形成されていることを特徴とする請求項１０記載の塗装ブース。
【請求項１２】
各エリミネータの非開口部における開口部との境界には、混合物の落下を促す落下誘導板が設けられていることを特徴とする請求項１０または請求項１１記載の塗装ブース。
【請求項１３】
回収塔により回収された混合物から塗料を回収する塗料回収手段を具備することを特徴とする請求項８ないし１２いずれか一項に記載の塗装ブース。
【請求項１４】
塗料回収手段が、遠心力により塗料を分離回収する遠心分離機を具備することを特徴とする請求項１３記載の塗装ブース。
【請求項１５】
塗料回収手段により塗料が除去された捕集液を、水槽に戻す捕集液返送手段を具備することを特徴とする請求項１３または請求項１４記載の塗装ブース。
【請求項１６】
搬送手段の軌道を覆うカバーと、カバー内を排気する排気手段とを具備することを特徴とする請求項４ないし１５いずれか一項に記載の塗装ブース。
【請求項１７】
請求項４ないし１６いずれか一項に記載の塗装ブースを備えていることを特徴とする塗装システム。
【請求項１８】
塗装側が下方に向かって傾斜するように吊り下げられた被塗装物に、該被塗装物の斜め下方から塗料を噴霧して被塗装物の塗装側を塗装することを特徴とする塗装方法。
【発明の詳細な説明】
【技術分野】
【０００１】
本発明は、被塗装物を保持する塗装用治具、被塗装物を塗装するための塗装ブース、およびこの塗装ブースを備えた塗装システムに関する。
【背景技術】
【０００２】
自動車等のランプカバーは、ランプハウジングに取り付けた際に外側となる表面が紫外線硬化塗料（以下、ＵＶ硬化塗料）で塗装されている。また、ランプカバーの結露を防止するために、ランプカバーの内側表面が防曇塗料で塗装されることがある。
【０００３】
ランプカバーの内側表面への防曇塗料の塗装は、例えば、図９に示すように、塗装用治具１の凹部にランプカバー２の内側を上にしてランプカバー２を置き、ランプカバー２をランプハウジングに取り付ける際の接着剤の「のりしろ」となるランプカバー２の内側表面の周縁部をマスキングするマスク部材３を被せ、ランプカバー２の上方に配置された塗装ガン４から防曇塗料を噴霧することにより行われる。
【０００４】
しかしながら、この塗装方法では、ランプカバー２の塗装側が上方を向いているため、ランプカバー２の内側表面に大気中の埃が舞い降り、付着しやすいという問題があった。また、塗装ガン４に塗料が付着することで形成された塗料カスが塗装ガン４から落下してランプカバー２の内側表面に付着することもあった。ランプカバー２の内側表面に付着した埃や塗料カスは、塗装不良の原因となる。
また、ランプカバー２の外側表面が塗装用治具１に接触するため、ランプカバー２の外側に施されたＵＶ硬化塗料による塗膜が傷つきやすいという問題もあった。
【０００５】
これら問題を解決した塗装方法としては、ランプレンズの内側表面の周縁部を覆うマスク本体でランプカバーを位置決め固定するとともに、被塗装面を斜め下向きに配置して、塗装を行う方法が提案されている（特許文献１）。この方法によれば、被塗装面が斜め下向きになっているので、埃が被塗装面に舞い降りることがなく、また、斜め上向きに塗装を行うこととなるので、塗装ガンから落下する塗料カスが、被塗装面に付着することがないとされている。
【０００６】
しかしながら、この塗装方法に用いられる装置においては、マスク本体はターンテーブル上の支柱で支持されているので、被塗装物や塗装ガンから垂れ落ちた余剰塗料やオーバースプレー塗料が、支柱やターンテーブルを汚してしまい、頻繁に装置全体の洗浄を行う必要があるという問題があった。
【特許文献１】特開２００１−２４６３０８号公報（図１、図３参照）
【発明の開示】
【発明が解決しようとする課題】
【０００７】
よって、本発明の目的は、大気中の埃や塗装ガンからの塗料カスの被塗装物への付着を抑えることができ、塗装用治具自体の塗料による汚れを抑えることができる塗装用治具、これを備えた塗装ブース、およびこれを備えた塗装システムを提供することにある。
【課題を解決するための手段】
【０００８】
すなわち、本発明の塗装用治具は、被塗装物を、その塗装側が下方に向かって傾斜するように吊り下げた状態で保持する塗装用治具であって、噴霧された塗料が通過する開口部を有し、該開口部の周縁部で被塗装物を支持する被塗装物支持部材と、被塗装物支持部材を着脱可能に取り付ける吊下支持具とを具備することを特徴とするものである。
ここで、吊下支持具は、被塗装物の傾斜角度を調節する傾斜調節手段を具備することが望ましい。
また、本発明の塗装用治具は、被塗装物の非塗装側を覆うカバーをさらに具備することが望ましい。
【０００９】
また、本発明の塗装ブースは、本発明の塗装用治具と、塗装用治具を軌道に沿って移動させる搬送手段と、被塗装物に塗料を噴霧する塗装手段とを具備することを特徴とするものである。
また、本発明の塗装ブースは、噴霧された塗料の塗装手段への付着を防ぐ遮蔽部材と、遮蔽部材の表面に塗料捕集用の捕集液を流下させる捕集液供給手段とをさらに具備することが望ましい。
また、本発明の塗装ブースは、噴霧された塗料の塗装ブース内壁への付着を防ぐ遮蔽部材と、遮蔽部材の表面に塗料捕集用の捕集液を流下させる捕集液供給手段とをさらに具備することが望ましい。
また、本発明の塗装ブースは、流下した捕集液を貯留する水槽をさらに具備することが望ましい。
【００１０】
また、本発明の塗装ブースは、塗装ブース内に外気を供給する給気手段と、塗装ブース内を吸引して気流を発生させる吸引手段と、該気流により水槽中の捕集液と塗装ブース内の塗料とを混合する渦巻室と、吸引手段と渦巻室との間に設けられ、捕集液および塗料とが混合された混合物を回収する回収塔とをさらに具備することが望ましい。
ここで、渦巻室の入口は、下端が山切り状に形成された仕切板を備えて構成されていることが望ましい。
また、回収塔は、開口部が形成された平板状のエリミネータを回収塔の高さ方向に沿って少なくとも２枚備え、隣接するエリミネータの開口部は、気流が蛇行しながら上昇するように互い違いに形成されていることが望ましい。
また、各エリミネータは、傾斜して設けられ、隣接するエリミネータは、傾斜方向が互い違いに逆向きに形成されていることが望ましい。
また、各エリミネータの非開口部における開口部との境界には、混合物の落下を促す落下誘導板が設けられていることが望ましい。
【００１１】
また、本発明の塗装ブースは、回収塔により回収された混合物から塗料を回収する塗料回収手段をさらに具備することが望ましい。
ここで、塗料回収手段は、遠心力により塗料を分離回収する遠心分離機を具備することが望ましい。
また、本発明の塗装ブースは、塗料回収手段により塗料が除去された捕集液を、水槽に戻す捕集液返送手段をさらに具備することが望ましい。
また、本発明の塗装ブースは、搬送手段の軌道を覆うカバーと、カバー内を排気する排気手段とをさらに具備することが望ましい。
【００１２】
また、本発明の塗装システムは、本発明の上記種々の態様からなる塗装ブースを備えていることを特徴とするものである。
また、本発明の塗装方法は、塗装側が下方に向かって傾斜するように吊り下げられた被塗装物に、該被塗装物の斜め下方から塗料を噴霧して被塗装物の塗装側を塗装することを特徴とする。
【発明の効果】
【００１３】
本発明の塗装用治具によれば、大気中の埃や塗装ガンからの塗料カスの被塗装物への付着を抑えることができ、また、塗装用治具自体の塗料による汚れを抑えることができる。
また、本発明の塗装ブースによれば、大気中の埃や塗装ガンからの塗料カスの被塗装物への付着を抑えることができるので、塗装不良のない製品を安定して生産でき、また、塗装ブース内の塗料による汚れを抑えることができるので、頻繁に洗浄を行う必要がない。
また、本発明の塗装システムによれば、塗装不良のない製品を安定して、長時間連続で生産できる。
【発明を実施するための最良の形態】
【００１４】
以下、本発明を詳細に説明する。
＜塗装システム＞
図１は、本発明の塗装システムの一例を示す概略平面図である。
この塗装システム１０は、複数の塗装用治具２０を軌道に沿って移動させる搬送手段４０と、塗装用治具２０に保持されたランプカバー（被塗装物、図示略）から静電気を除去する除電室１２と、塗装用治具２０に保持された被塗装物を防曇塗料で塗装する塗装ブース６０と、防曇塗装されたランプカバー（塗装物）を加熱し、ランプカバー表面の防曇塗料から溶剤を揮発させる加熱炉１４と、加熱されたランプカバーを冷却する冷却ゾーン１６と、後述の搬送手段４０のチェーンを駆動する駆動ユニット（図示略）とを具備して概略構成されるものである。
【００１５】
＜塗装ブース＞
塗装ブース６０は、図２に示すように、搬送手段４０の軌道に沿って移動する塗装用治具２０に吊り下げた状態で保持されているランプカバー７０（被塗装物）の塗装側を塗装するブースであって、ランプカバー７０に塗料を噴霧する塗装ガン８２を先端に備えた塗装ロボット８０（塗装手段）と、塗装ロボット８０の前方に設けられた衝立状の遮蔽部材９０と、遮蔽部材９０の上端に設けられた捕集液供給手段９２と、塗装ブース６０内壁（後述する回収塔１４０の塔壁１４２）の塗装ロボット８０側に、塔壁１４２を覆うように設けられた水切り板１００（遮蔽部材）と、水切り板１００の上端に設けられた捕集液供給手段１０２と、遮蔽部材９０および水切り板１００を流下した捕集液を貯留する水槽１１０と、塗装ロボット８０の上方の塗装ブース６０天井に設けられた給気手段１２０と、塗装ブース６０内を吸引する吸引手段（図示略）と、水槽１１０の液面近傍に設けられた渦巻室１３０と、吸引手段と渦巻室１３０との間に設けられた、渦巻室１３０から塗装ブース６０の天井へと延びる回収塔１４０と、回収塔１４０により回収された混合物から塗料を回収する塗料回収手段（図示略）と、塗料回収手段により塗料が除去された捕集液を水槽１１０に戻す捕集液返送手段（図示略）を具備して概略構成されるものである。
【００１６】
（塗装用治具）
塗装用治具２０は、図３および図４に示すように、ランプカバー７０（被塗装物）を、その塗装側が下方に向かって傾斜するように吊り下げた状態で保持するものであり、ランプカバー７０を支持する被塗装物支持部材２２と、被塗装物支持部材２２を着脱可能に取り付ける吊下支持具３０と、ランプカバー７０の非塗装側を覆う防塵カバー５０とを具備するものである。
【００１７】
ここで、被塗装物支持部材２２は、塗装ガン８２から噴霧された塗料が通過するための、ランプカバー７０の形状に対応した開口部２４を中央に有し、ランプカバー７０側に屈曲した開口部２４の周縁部２６でランプカバー７０の内側表面の周縁部を覆うとともにランプカバー７０を支持する概ね平板状の部材である。
【００１８】
また、吊下支持具３０は、被塗装物支持部材２２よりもひとまわり小さい中空部３１を有し、被塗装物支持部材２２の四隅に設けられたピン２８を差し込むためのピン孔３２が穿設された枠板３３と、枠板３３の両側に設けられた湾曲した棒状のサイドフレーム３４と、サイドフレーム３４をスライド可能に保持する保持部３５が、コの字形に折り曲げられた帯板の両端に設けられたアーム３６と、下端がアーム３６中央に接合し、上端が後述の搬送手段４０のサブペンダント４６に取り付けられる吊板３７とから概略構成されるものである。
【００１９】
また、防塵カバー５０は、周縁の一辺に設けられたヒンジ部５２によって、ここを支軸として開閉自在に吊下支持具３０の枠板３３に取り付けられたものであり、上面に開閉のための取っ手５４が取り付けられている。
【００２０】
この塗装用治具２０においては、サイドフレーム３４をアーム３６両端の保持部３５においてスライド可能に保持するようにされているので、ランプカバー７０の傾斜角度を調節することが可能とされている（傾斜調節手段）。
ランプカバー７０の傾斜角度は、特に限定はされないが、ランプカバー７０の傾斜が鉛直に近づくにつれ、塗装ガン８２から噴霧される塗料の噴射圧に耐えきれずにランプカバー７０が塗装用治具２０から脱落するおそれがあり、また、ランプカバー７０の傾斜が水平に近づくにつれ、塗装ガン８２から真上に噴霧された塗料が塗装ガン８２に落下し、付着するおそれ、および塗装ロボット８０のアームを長く延ばす必要がある。よって、ランプカバー７０の傾斜角度は、これら不具合が生じない程度に適宜設定する必要がある。
【００２１】
（搬送手段）
搬送手段４０は、塗装用治具２０が走行可能な状態で塗装用治具２０を吊り下げるものであり、上部長手方向にチェーンペンダント４１のガイド溝４２が形成されたチューブ状のレール４３（軌道）と、レール４３の内壁面を転動する複数のローラ４４を介してレール４３内を走行自在に、レール４３の長手方向にわたって設けられたチェーン４５と、チェーン４５の長手方向所定間隔で設けられた複数のチェーンペンダント４１と、レール４３の円弧状周囲面に対応する半円弧状周囲面を有し、レール４３の円弧状周囲面に対して所定間隔をおき、上部をチェーンペンダント４１に一体に設けられ、チェーン４５とともに走行自在に設けられたサブペンダント４６と、レール４３を覆うようにレール４３に沿って設けられ、下部長手方向に吊下支持具３０の吊板３７のガイド溝４７が形成されたカバー４８と、カバー４８に設けられた排気口４９からカバー内を排気する排気手段（図示略）とを具備して概略構成されるものである。
【００２２】
（遮蔽部材、捕集液供給手段）
遮蔽部材９０は、塗装ロボット８０やその周辺の床などに塗料の付着を防止するための部材であり、塗装ロボット８０の前方、すなわち、塗装ロボット８０と塗装用治具２０との間に、搬送手段４０のレール４３の方向に沿って水槽１１０の上端に立設されている。
遮蔽部材９０の上端に設けられた捕集液供給手段９２は、遮蔽部材９０の表面に塗料捕集用の捕集液を流下させるためのものであり、内部を捕集液が流れる配管９４と、この配管５４が収められる断面コの字状の樋部材９６とを具備して構成される。
【００２３】
水切り板１００（遮蔽部材）は、後述する回収塔１４０における内側の塔壁１４２に塗料が付着しないようにこれを覆うものであり、搬送手段４０のレール４３の方向に沿って設けられている。水切り板１００の上端に設けられた捕集液供給手段１０２は、水切り板１００の表面に塗料捕集用の捕集液を流下させるためのものであり、内部を捕集液が流れる配管１０４と、この配管１０４が収められる断面コの字状の樋部材１０６とを具備して構成される。
【００２４】
（水槽）
水槽１１０は、遮蔽部材９０や水切り板１００から流下した塗料を含む捕集液を貯留するとともに、塗装ガン８２から噴霧され、ランプカバー７０に付着しなかった塗料の一部を直接捕集するものであり、塗装用治具２０の下方に、搬送手段４０のレール４３の方向に沿って設けられている。
【００２５】
（給気手段）
給気手段１２０は、塗装ブース６０内に外気を供給するものであり、給気口１２２と、整流板１２４と、整流フィルタ１２６とを備えたものである。整流板１２４としては、例えば、パンチングメタル（開口比２０〜５０％程度）を用いることができ、整流フィルタ１２６としては、例えば、不織布フイルタを用いることができる。
【００２６】
（吸引手段）
吸引手段（図示略）は、塗装ブース６０の天井に設けられた排気口１２８から塗装ブース６０内を吸引して、給気口１２２から排気口１２８に向かう気流を発生させるものである。
【００２７】
（渦巻室）
渦巻室１３０は、吸引手段によって発生した気流により、水槽１１０の液面近傍の、塗料を含む捕集液、および塗装ブース６０内を浮遊しているミスト状の塗料を吸引してバブリング状態とし、これらを混合するものであり、後述の回収塔１４０の塔壁１４２から下方の水槽１１０に向けて延出して設けられた仕切板１３２と、捕集液と塗料との混合物を回収塔１４０へ誘導する湾曲板１３４とを備えたものである。
【００２８】
仕切板１３２としては、渦巻室１３０において捕集液に塗料がより効率的に捕捉されることから、図５に示すように、その下端が山切り状に形成されたものが好ましい。
さらには、この仕切板１３２と湾曲板１３４との間を通過する風速が１５〜３５ｍ／ｓ、さらに好ましくは２０〜２５ｍ／ｓとなるように、図６に示す、仕切板１３２の先端と湾曲板１３４との距離Ｌ１などを調整し、さらに、仕切板１３２を、その下端側が鉛直方向に対して特定の角度αで渦巻室１３０側に傾くように取り付けることにより、塗料は捕集液により捕捉されやすくなるとともに、回収塔１４０における捕集液および塗料の回収率も高くなる。
【００２９】
なお、図示例の仕切板１３２は、図示略のボルトなどの固定具で回収塔１４０の塔壁１４２に固定されているが、このボルトなどを緩め、作業者が仕切板１３２の取手部材１３６を把持して仕切板１３２を上下方向に適宜移動させることにより、仕切板１３２と湾曲板１３４との距離Ｌ１、および仕切板１３２の先端と液面との距離などを調整できる。
また、湾曲板１３４も図示略のボルトなどの固定具で水槽１１０に固定されているが、このボルトなどを緩め、湾曲板１３４を上下方向に適宜移動させることにより、湾曲板１３４と仕切板１３２との距離Ｌ１、および湾曲板１３４と液面との距離などを調整できる。
【００３０】
具体的には、図５に示す山切りのピッチＰは３０〜１００ｍｍ、その深さＨはＰ／２程度とすることが好ましく、図示例ではＰ＝５０ｍｍ、Ｈ＝２５ｍｍとしている。また、仕切板１３２の先端と湾曲板１３４との鉛直距離Ｌ１は２０〜７０ｍｍとすることが好ましく、３０〜５０ｍｍとすることがより好ましい。図示例ではＬ１は３７．５ｍｍとしている。
さらに、仕切板１３２の下端の傾きの角度αは、１３５°以上１８０°未満であることが好ましく、この例では１５０°としている。
【００３１】
（回収塔）
回収塔１４０は、図７に示すように、吸引手段と渦巻室１３０との間に渦巻室１３０から塗装ブース６０の天井へと延びるように設けられた、捕集液および塗料とが混合された混合物を回収する空間であり、塗装ブース６０内を、ランプカバー７０を塗装する空間と混合物を回収する空間とに仕切る塔壁１４２と、混合物を付着、落下させる複数の平板状のエリミネータ１４４（邪魔板）と、回収塔１４０の底部に設けられ、落下してくる混合物を回収するホッパ１４６と、回収された混合物を貯留するスラッジ槽１４８とを具備して概略構成されるものである。
【００３２】
ここで、エリミネータ１４４は、回収塔１４０の高さ方向に間隔をあけて少なくとも２枚（図示例では３枚）設けられ、かつこれら複数のエリミネータ１４４が水平方向に対して互い違いに逆向きに傾斜するように設けられる。また、各エリミネータ１４０における傾斜の下部側には、気流が通過する開口部１５０が形成されている。このようなエリミネータ１４４が設けられた回収塔１４０においては、気流が直線的ではなく蛇行しながら上昇するので、より効果的に捕集液と塗料との混合物が開口部１５０以外の非開口部１５２で回収される。
さらに、各エリミネータ１４４の非開口部１５２における開口部１５０との境界には、さらに確実に混合物を回収するために、捕集液と塗料との混合物が空気に同伴されて上昇せず下方に落下するよう促す落下誘導板１５４が設けられている。
【００３３】
図８に示す、各エリミネータ１４４の水平方向に対する傾斜角βは、１２〜２０°が好ましく、図示例では１５〜１６°としている。また、落下誘導板１５４の鉛直方向に対する角度γは、１０〜２０°が好ましく、図示例では、下側のエリミネータ１４４からそれぞれ１４°、１１°、１５°としている。
【００３４】
（塗料回収手段、捕集液返送手段）
塗料回収手段（図示略）は、回収塔１４０により回収され、スラッジ槽１４８に貯留された混合物から塗料を回収するものであり、塗料と捕集液とを分離する分離手段（図示略）を備えたものである。分離手段としては、塗料を回収できるものであれば特に制限はなく、例えば、捕集液と塗料の混合物をろ過処理するろ過装置、捕集液に浮遊している塗料を掻き取る掻取装置、遠心力により捕集液と塗料とを分離して塗料を回収する遠心分離機などが挙げられ、中でも、効率的な回収ができる点から、遠心分離機が好適である。
捕集液返送手段（図示略）は、塗料回収手段により塗料が除去された捕集液を配管１５８を通して水槽１１０に戻すものである。
【００３５】
＜塗装方法＞
次に、以上説明した塗装システム１０を利用して、ランプカバー７０（被塗装物）を防曇塗装する方法を具体的に説明する。
まず、図１に示された除電室１２の手前で、作業者が、ランプカバー７０を、塗装用治具２０の被塗装物支持部材２２上に、被塗装物支持部材２２の開口部２４を覆い隠すように、かつランプカバー７０の塗装側が斜め下に向くように載せる。ランプカバー７０を保持した塗装用治具２０は、搬送手段４０のレール４３（軌道）に沿って移動し、除電室１２を通過した後、塗装ブース６０内に進入する。
【００３６】
塗装ブース６０においては、塗装側が下方に向かって傾斜するように塗装用治具２０に吊り下げられた状態で、塗装ブース６０の中を通過しているランプカバー７０に、ランプカバー７０の斜め下方に配置された塗装ロボット８０の塗装ガン８２から防曇塗料を噴霧してランプカバー７０の塗装側を防曇塗装する。
塗装の際、捕集液供給手段９２から遮蔽部材９０の表面に塗料捕集用の捕集液が流下し、また、捕集液供給手段１０２から水切り板１００の表面に塗料捕集用の捕集液が流下しており、噴霧された塗料のうち被塗装物７０に付着せず、ミスト状に浮遊する塗料の一部は、これら捕集液に捕捉される。塗料を含む捕集液は、水槽１１０に貯留される。また、ランプカバー７０に付着しなかった塗料の一部は、水槽１１０中の捕集液に直接捕集される。
【００３７】
また、塗装ブース６０内を浮遊している塗料、および水槽１１０中の塗料を含む捕集液は、渦巻室１３０を経て回収塔１４０で回収される。
すなわち、吸引手段と給気手段１２０の作用により発生した気流が、渦巻室１３０の入口（仕切板１３２と湾曲板１３４との隙間）を高速で通過するのに伴って、水槽１１０の液面近傍に存在する塗料を含む捕集液と、ミスト状に塗装ブース６０内に浮遊している塗料とが、渦巻室１３０内に吸引され、渦巻室１３０内においてバブリング状態となり、塗料が捕集液に捕捉された混合物となる。
【００３８】
その後、この混合物は、気流により渦巻室１３０から回収塔１４０を上昇しようとするが、回収塔１４０に設けられた平板状のエリミネータ１４４（邪魔板）の非開口部１５２により阻まれ、空気のみがエリミネータ１４４の開口部１５０を上昇し、排気口１２８から排気される。塗料を捕捉した混合物は、各エリミネータ１４４の非開口部１５２の下面に付着した後、落下して、回収塔１４０の底部に設けられたホッパ１４６からスラッジ槽１４８に搬出される。
【００３９】
スラッジ槽１４８に搬出された捕集液と塗料の混合物からは、遠心分離機などの分離手段により塗料が回収されて適宜廃棄され、残りの捕集液は、捕集液返送手段により配管１５８を通して水槽１１０に戻される。
【００４０】
塗装ブース６０内で防曇塗装されたランプカバー７０は、ひきつづき塗装用治具２０に保持された状態で搬送手段４０のレール４３に沿って搬送され、塗装ブース６０と加熱炉１４との間のレベリングゾーンにて塗膜を均一化した後、加熱炉１４にて防曇塗料の溶剤を揮発させるために加熱され、冷却ゾーン１６にて冷却され、作業者のもとに戻る。
【００４１】
ここで、捕集液としては、水を使用してもよいし、塗料用不粘着化剤などの処理剤が添加された溶液などを使用してもよい。中でも、塗料用不粘着化剤などの処理剤が添加された溶液を使用した方が捕集液に捕捉され塗料を容易に水槽１１０から回収できるため好ましい。
また、各エリミネータ１４４の開口部１５０を上昇する気流の流速は、捕集液と塗料との混合物が気流に同伴されない風速であることが必要であることから、下側のエリミネータ１４４からそれぞれ好ましくは４〜７ｍ／秒、３〜６ｍ／秒、３〜６ｍ／秒、より好ましくはそれぞれ、５〜６ｍ／秒、３〜５ｍ／秒、３〜５ｍ／秒である。この例では、それぞれ、５．４ｍ／秒、４．２ｍ／秒、４．２ｍ／秒としている。
【００４２】
以上説明した塗装用治具２０にあっては、ランプカバー７０（被塗装物）を、その塗装側が下方に向かって傾斜するように吊り下げた状態で保持するものであるので、大気中の埃や塗装ガン８２からの塗料カスのランプカバー７０への付着を抑えることができる。また、塗装用治具２０にあっては、ランプカバー７０およびこれを支持する被塗装物支持部材２２を、これらの上方から吊下支持具３０にて吊り下げた状態にしているので、ランプカバー７０や塗装ガン８２から垂れ落ちた余剰塗料が、塗装用治具２０の吊下支持具３０を汚してしまうことがない。
【００４３】
また、塗装用治具２０にあっては、噴霧された塗料が通過する開口部２４の周縁部２６でランプカバー７０を支持する被塗装物支持部材２２が、吊下支持具３０に着脱可能に取り付けられているので、マスキングとして機能することによって塗料で汚れた被塗装物支持部材２２のみを、汚れの比較的少ない吊下支持具３０から取り外して洗浄することができる。これにより、塗装用治具２０全体を搬送手段４０から取り外して、洗浄するという大がかりな作業の頻度が少なくなり、洗浄作業の省力化を図ることができる。また、塗装用治具２０にあっては、被塗装物支持部材２２が、吊下支持具３０に着脱可能に取り付けられているので、被塗装物支持部材２２のみを取り替えるだけで、様々な大きさ、形状のランプカバー７０に対応することができる。
【００４４】
また、この塗装用治具２０にあっては、サイドフレーム３４をアーム３６両端の保持部３５においてスライド可能に保持するようにされているので、ランプカバー７０の傾斜角度を調節することが可能とされている（傾斜調節手段）。よって、ランプカバー７０の大きさや形状、ランプカバー７０と塗装ガン８２との位置関係、塗装ブース６０内の空間の広さ等に応じて適宜、ランプカバー７０の傾斜角度を調節することができる。
また、この塗装用治具２０にあっては、ランプカバー７０の非塗装側を覆う防塵カバー５０を具備しているので、非塗装側への大気中の埃の付着、および非塗装側への防曇塗料の回り込みを防ぐことができる。
【００４５】
また、以上説明した塗装ブース６０にあっては、上述の塗装用治具２０を備えているので、大気中の埃や塗装ガンからの塗料カスのランプカバー７０への付着を抑えることができ、塗装不良のない製品を安定して生産できる。また、塗装ブース６０にあっては、上述の塗装用治具２０と、塗装用治具２０を吊り下げた状態でレール４３（軌道）に沿って移動させる搬送手段４０とを具備しているので、ランプカバー７０や塗装ガン８２から垂れ落ちた余剰塗料が、塗装用治具２０の吊下支持具３０や搬送手段４０を汚してしまうことがなく、塗装ブース内の塗料による汚れを抑えることができるので、頻繁に洗浄を行う必要がない。
【００４６】
また、塗装ブース６０にあっては、噴霧された塗料の塗装ロボット８０への付着を防ぐ遮蔽部材９０と、遮蔽部材９０の表面に塗料捕集用の捕集液を流下させる捕集液供給手段９２とを具備しているので、塗装ロボット８０、その周辺の床、さらには遮蔽部材９０にも塗料が直接付着することなく回収され、塗料回収率が高まるとともに、塗装ブース６０内の汚れの除去作業が軽減される。
また、塗装ブース６０にあっては、噴霧された塗料の、回収塔１４０の塔壁１４２（塗装ブース内壁）への付着を防ぐ水切り板１００（遮蔽部材）と、水切り板１００の表面に塗料捕集用の捕集液を流下させる捕集液供給手段１０２とを具備しているので、回収塔１４０の塔壁１４２に塗料が直接付着することなく回収され、塗料回収率が高まるとともに、塗装ブース６０内の汚れの除去作業が軽減される。
また、塗装ブース６０にあっては、流下した捕集液を貯留する水槽１１０を具備しているので、ランプカバー７０に付着しなかった塗料の一部を直接捕集することができ、塗料回収率が高まるとともに、塗装ブース６０内の汚れの除去作業が軽減される。
【００４７】
また、塗装ブース６０にあっては、塗装ブース６０内を吸引して気流を発生させる吸引手段と、該気流により水槽１１０中の捕集液と塗装ブース６０内の塗料とを混合する渦巻室１３０と、吸引手段と渦巻室１３０との間に設けられ、捕集液および塗料とが混合された混合物を回収する回収塔１４０とを具備しているので、塗装ブース６０内の塗料を捕集液とともに効率よく回収することができる。
また、渦巻室１３０の入口が、下端が山切り状に形成された仕切板１３２を備えて構成されているので、渦巻室１３０において捕集液と塗料とを効率よくバブリング状態にすることができ、捕集液に塗料より効率的に捕捉される。
【００４８】
また、回収塔１４０が、開口部１５０が形成された平板状のエリミネータ１４４を回収塔１４０の高さ方向に沿って少なくとも２枚備え、隣接するエリミネータ１４４の開口部１５０が、気流が蛇行しながら上昇するように互い違いに形成されているので、より効率的に捕集液と塗料との混合液を非開口部１５２で回収することができる。
また、各エリミネータ１４４が、傾斜して設けられ、隣接するエリミネータ１４４は、傾斜方向が互い違いに逆向きに形成されているので、気流が蛇行しながら上昇し、より効率的に捕集液と塗料との混合液を非開口部１５２で回収することができる。
また、各エリミネータ１４４の非開口部１５２における開口部１５０との境界には、混合物の落下を促す落下誘導板１５４が設けられているので、非開口部１５２で回収された混合物が気流に同伴されて再度上昇せずに下方に落下し、確実に混合物を回収することができる。
【００４９】
また、塗装ブース６０にあっては、回収塔１４０により回収された混合物から塗料を回収する遠心分離機（塗料回収手段）を具備しているので、塗料のみを廃棄することができ、捕集液を再利用することができる。
また、塗装ブース６０にあっては、遠心分離機により塗料が除去された捕集液を、水槽に戻す捕集液返送手段を具備しているので、捕集液を再利用することができる。
また、塗装ブース６０は、搬送手段４０のレール４３を覆うカバー４８と、カバー４８内を排気する排気手段とを具備しているので、レール４３とローラ４４とが擦れることにより発生するクズやレールに付着した埃などが、搬送手段４０の振動によって落下し、その真下にあるランプカバー７０に付着することを防止することができる。
【００５０】
また、以上説明した塗装システム１０にあっては、上述の塗装ブース６０を備えているので、塗装不良のない製品を安定して、長時間連続で生産できる。
また、この塗装システム１０を用いた塗装方法にあっては、塗装側が下方に向かって傾斜するように吊り下げられたランプカバー７０に、該ランプカバー７０の斜め下方から塗料を噴霧してランプカバー７０の塗装側を塗装しているので、大気中の埃や塗装ガン８２からの塗料カスのランプカバー７０への付着を抑えることができ、塗装不良のない製品を安定して、長時間連続で生産できる。
【産業上の利用可能性】
【００５１】
本発明の塗装用治具、塗装ブースおよび塗装システムによれば、大気中の埃や塗装ガンからの塗料カスの被塗装物への付着を抑えることができる。よって、本発明の塗装用治具、塗装ブースおよび塗装システムは、自動車のランプカバーのように、ごく小さな埃による塗装不良（凹凸）であっても、ランプからの光が透過した際にその不良部分で光が拡散し、塗装不良が大きく目立ってしまうようなものなど、わずかな塗装不良も許されない被塗装物への塗装に好適である。
【図面の簡単な説明】
【００５２】
【図１】本発明の塗装システムの一例を示す概略平面図である。
【図２】本発明の塗装ブースの一例を示す断面図である。
【図３】本発明の塗装用治具の一例を示す断面図である。
【図４】図３の塗装用治具の要部を示す斜視図である。
【図５】図２の塗装ブースにおける渦巻室の仕切板を示す斜視図である。
【図６】図２の塗装ブースにおける渦巻室の拡大図である。
【図７】図２の塗装ブースにおける渦巻室および回収塔を示す断面図である。
【図８】図２の塗装ブースにおける渦巻室および回収塔を示す断面図である。
【図９】従来の塗装用治具の一例を示す断面図である。
【符号の説明】
【００５３】
１０  塗装システム
２０  塗装用治具
２２  被塗装物支持部材
２４  開口部
２６  周縁部
３０  吊下支持具
４０  搬送手段
４３  レール（軌道）
４８  カバー
５０  防塵カバー（カバー）
６０  塗装ブース
７０  ランプカバー（被塗装物）
８０  塗装ロボット（塗装手段）
９０  遮蔽部材
９２  捕集液供給手段
１００  水切り板（遮蔽部材）
１０２  捕集液供給手段
１１０  水槽
１３０  渦巻室
１３２  仕切板
１４０  回収塔
１４２  塔壁（塗装ブース内壁）
１４４  エリミネータ
１５０  開口部
１５２  非開口部
１５４  落下誘導板
【図１】
2005152732.tif 000003
【図２】
2005152732.tif 000004
【図３】
2005152732.tif 000005
【図４】
2005152732.tif 000006
【図５】
2005152732.tif 000007
【図６】
2005152732.tif 000008
【図７】
2005152732.tif 000009
【図８】
2005152732.tif 000010
【図９】
2005152732.tif 000011